(57)【要約】【課題】ワイヤレス端末がデュアルモード機能を連絡できるようにする方法を提供する。【解決手段】方法は、セルラーコアネットワークへ接続する要求を示し、かつＷＴＲＵ(ワイヤレス送受信装置)がＷＬＡＮ（ワイヤレスローカルエリアネットワーク）を介してセルラーコアネットワークからサービスを受信する機能があるか否かを示す機能インジケータ（指標）を含む接続要求メッセージを発生することと、セルラーコアネットワーク内のネットワークノードへ接続要求メッセージを通信することと、機能インジケータに基づいて記ネットワークノードを介してサービスを受け取ることとを含む。【選択図】図２
2011205686.tif 000002
【特許請求の範囲】
【請求項１】
ＷＴＲＵ(ワイヤレス送受信装置）で使用される方法であって、
セルラー（携帯電話）コアネットワークへ接続する要求を示し、かつ前記ＷＴＲＵがＷＬＡＮ（ワイヤレスローカルエリアネットワーク）を介して前記セルラーコアネットワークからサービスを受信する機能があるか否かを示す機能インジケータ（指標）を含む接続要求メッセージを発生することと、
前記セルラーコアネットワーク内のネットワークノードへ前記接続要求メッセージを通信することと、
前記機能インジケータに基づいて前記ネットワークノードを介してサービスを受け取ることと
を含むことを特徴とする方法。
【請求項２】
前記サービスが、セルラー無線アクセスネットワークを通じて受信されることを特徴とする請求項１に記載の方法。
【請求項３】
前記セルラー無線アクセスネットワークがＧＳＭまたはＵＭＴＳ技術に準拠していることを特徴とする請求項２に記載の方法。
【請求項４】
セルラーコアネットワーク内のネットワークノードで使用する方法であって、
前記セルラーコアネットワークへ接続する要求を示し、かつＷＴＲＵ (ワイヤレス送受信装置）がＷＬＡＮ（ワイヤレスローカルエリアネットワーク）を介して前記セルラーコアネットワークからサービスを受信する機能があるか否かを示す機能インジケータ（指標）を含んでいる接続要求メッセージを、セルラーＲＡＮ（無線アクセスネットワーク）を介して前記ＷＴＲＵから受信することと、
前記接続応答メッセージに応答した接続受託メッセージを、前記セルラーＲＡＮを介して前記ＷＴＲＵへ送信することと、
前記機能インジケータに基づいて前記ＷＴＲＵへサービスを提供することと
を含むことを特徴とする方法。
【請求項５】
前記セルラーＲＡＮがＧＳＭまたはＵＭＴＳ技術に準拠していることを特徴とする請求項４に記載の方法。
【請求項６】
前記機能インジケータが無線アクセス機能情報要素またはＭＳ（モバイルステーション（移動端末））ネットワーク機能情報要素を含むことを特徴とする請求項４に記載の方法。
【請求項７】
さらに、前記ＷＴＲＵと交信して該ＷＴＲＵを認証することを特徴とする請求項４に記載の方法。
【請求項８】
前記ネットワークノードがＳＧＳＮ（サービングＧＰＲＳサポートノード）であることを特徴とする請求項４に記載の方法。
【請求項９】
セルラーコアネットワーク内で使用するためのネットワークノードでであって、
前記セルラーコアネットワークへ接続する要求を示し、かつＷＴＲＵ (ワイヤレス送受信装置）がＷＬＡＮ（ワイヤレスローカルエリアネットワーク）を介して前記セルラーコアネットワークからサービスを受信する機能があるか否かを示す機能インジケータ（指標）を含んでいる接続要求メッセージを、セルラーＲＡＮ（無線アクセスネットワーク）を介して前記ＷＴＲＵから受信する手段と、
前記接続応答メッセージに応答した接続受託メッセージを、前記セルラーＲＡＮを介して前記ＷＴＲＵへ送信する手段と、
前記機能インジケータに基づいて前記ＷＴＲＵへサービスを提供する手段と
を具備することを特徴とするネットワークノード。
【請求項１０】
前記機能インジケータが無線アクセス機能情報要素またはＭＳ（モバイルステーション（移動端末））ネットワーク機能情報要素を含むことを特徴とする請求項９に記載のネットワークノード。
【請求項１１】
前記ネットワークノードがＳＧＳＮ（サービングＧＰＲＳサポートノード）であることを特徴とする請求項９に記載のネットワークノード。
【発明の詳細な説明】
【技術分野】
【０００１】
本発明は、デュアルモード機能を有するＷＴＲＵ（ワイヤレス送受信装置）に関し、より詳細には、デュアルモード機能を報告し、ネットワークのインターワーキング（ｉｎｔｅｒｗｏｒｋｉｎｇ：相互接続、相互作用、相互動作、相互連動網、相互連動性とも称されている）のアベイラビリティ（利用可能性）を報告する方法に関する。
【背景技術】
【０００２】
汎用パケット無線サービス／ユニバーサル移動体通信システム／第３世代（ＧＰＲＳ／ＵＴＭＳ／３Ｇ）ネットワークとインターワーキングをするワイヤレスローカルエリアネットワーク（ＷＬＡＮ）の現在の発展は、共通の封入物内に２つの無線ユニットを収納している製品（例えば８０２．１１ｂ＋ＧＰＲＳエアインターフェイスおよび８０２．１１ｂ＋ＵＭＴＳエアインターフェイスをサポートするカードなど）をもたらした。これらユニットは、それぞれ個別のカードでも良く、または共通の１枚のカードに統合されていても良い。
【０００３】
以下において、ワイヤレス送受信装置（ＷＴＲＵ）は、それだけには限定されないが、ユーザ機器、移動局、固定式または移動式の加入者用装置、ページャ（ポケットベル）、またはワイヤレス環境で動作することができる他の任意のタイプの装置を含む。以下に言及するときに、基地局（ＢＳ）は、それだけには限定されないが、Ｎｏｄｅ−Ｂ（ノードＢ）、サイトコントローラ、アクセスポイントまたはワイヤレス環境における他の任意のタイプのインターフェイス装置を含む。
【発明の概要】
【発明が解決しようとする課題】
【０００４】
現在、ネットワークは、端末のデュアルモード機能を感知していない場合がある。さらに、提供されるサービスは、処理能力、メモリのアベイラビリティ、画面サイズ、ビットレートなどに関する端末の機能に基づいて劇的に変わり得る。例えば、デュアルモード８０２＋ＧＰＲＳ携帯端末（ＰＤＡ）は、ＧＰＲＳや８０２ネットワークを介してショートメッセージサービス（ＳＭＳ）やマルチメディアメッセージサービス（ＭＭＳ）のメッセージを受信することはできるが、これらのサービスのうちのいくつかのバリエーションは、ワイヤレス端末に割り当てられたメモリ空間に従って提供される場合がある。内容の濃いマルチメディアサービスは、ＰＤＡで使用可能なものよりも大きいメモリサイズを必要とする場合がある。したがって、同じマルチメディアサービスは、端末の機能に基づいて、白黒または切り詰めた色セットによって提供される場合がある。また、ネットワーク支援型ハンドオフ（ｎｅｔｗｏｒｋ−ａｓｓｉｓｔｅｄ  ｈａｎｄｏｆｆ）の可能性を、デュアルモード（ＷＬＡＮ／ＧＰＲＳまたはＷＬＡＮ／３Ｇ）機能を示す端末に提供することができる。既存のＧＰＲＳ／ＵＭＴＳネットワークに対してこれらの機能を提示するための機構が必要である。
【０００５】
さらに、ネットワークのインターワーキング（相互接続）には、デュアルモード無線機能を有しインターワーキング機能に関する通知を受けるために通信するネットワークのうちの１つに依存するワイヤレス端末に情報を提供して、そのワイヤレス端末が２つのネットワークのうちのいずれかと通信ができる進展した性能を有するようにするための機能が存在していない。
【課題を解決するための手段】
【０００６】
本発明は、ワイヤレス端末がデュアルモード機能を連絡できるようにする方法を含むことを特徴とし、さらに、ワイヤレス端末がインターワーキングするネットワークのうちのいずれか一方からサービスを取得する拡張機能を有する、２つのネットワークのインターワーキング機能を報告する方法を提供することを特徴としている。
【０００７】
本発明は、同等の構成要素が同等の数表示によって指定されている図面を参照することによって理解されるであろう。
【図面の簡単な説明】
【０００８】
【図１】統合型ユニバーサル移動体通信システム（ＵＭＴＳ）およびワイヤレスローカルエリアネットワーク（ＷＬＡＮ）を有するネットワークの概略図である。
【図２】本発明のＡＴＴＡＣＨ手順と機能の具体化例を示す概略図である。
【図３】ＷＴＲＵネットワーク機能情報要素（ＩＥ）を示す図である。
【図４】既存の、および改変されたネットワーク機能情報要素（ＩＥ）を示す図である。
【図４Ａ】図４の改変されたネットワーク機能ＩＥをより詳細に示す図である。
【図５】既存の、および改変された無線アクセス（ＲＡ）機能情報要素（ＩＥ）を示す図である。
【図５Ａ】図５の改変されたＲＡ機能ＩＥをより詳細に示す図である。
【図５Ｂ】図５の改変されたＲＡ機能ＩＥをより詳細に示す図である。
【発明を実施するための形態】
【０００９】
本発明によって解決される課題は、ＧＰＲＳ（ｇｅｎｅｒａｌ  ｐａｃｋｅｔ  ｒａｄｉｏ  ｓｅｒｖｉｃｅ）およびＷＬＡＮ（ｗｉｒｅｌｅｓｓ  ｌｏｃａｌ  ａｒｅａ  ｎｅｔｗｏｒｋ）、または３Ｇ（３ｒｄ  Ｇｅｎｅｒａｔｉｏｎ ｍｏｂｉｌｅ  ｎｅｔｗｏｒｋ）およびＷＬＡＮの両方をサポートする端末が、そのサポートするＧＰＲＳ／ＵＭＴＳ(ｕｎｉｖｅｒｓａｌ  ｍｏｂｉｌｅ  ｔｅｌｅｃｏｍｍｕｎｉｃａｔｉｏｎｓ  ｓｙｓｔｅｍ)ネットワークに、そのＷＬＡＮ機能を報告できるようにするための機構である。また、本発明は、３ＧネットワークがＷＬＡＮ上の３Ｇまたはパケット交換ドメインサービスが使用可能であることを示すことができる機構を突き止めている。
【００１０】
図１は、ＵＴＭＳおよびＷＬＡＮが統合されているネットワークの概略図を示している。ＷＴＲＵ１２、１４、１６は、それぞれの無線リンク（ＲＬ−１、ＲＬ−２、ＲＬ−３）を介してネットワークと通信する。より詳細には、ＷＴＲＵ１２はＧＳＭ(ｇｌｏｂａｌ  ｓｙｓｔｅｍ  ｆｏｒ  ｍｏｂｉｌｅ  ｃｏｍｍｕｎｉｃａｔｉｏｎｓ)無線アクセスネットワーク（ＲＡＮ）と通信し、ＷＴＲＵ１４は２．５／３Ｇ  ＲＡＮと通信し、ＷＴＲＵ１６はＷＬＡＮアクセスポイント（ＡＰ）と通信する。ＷＴＲＵ１２およびＷＴＲＵ１４はセル方式の携帯無線電話（携帯電話）、ＷＴＲＵ１６は、ＷＬＡＰ  ＡＰと通信することができる適切なカードを有するラップトップ（ノート型パソコン）、あるいは携帯端末（ＰＤＡ）または他の類似の装置とすることができる。
【００１１】
ＧＳＭ  ＲＡＮは、移動通信交換局（ＭＳＣ）と通信し、移動通信交換局は、当分野で知られているように、位置データベースとインターワーキングする機能を有する。ＭＳＣは、ＶＬＲ（ｖｉｓｉｔｏｒ  ｌｏｃａｔｉｏｎ  ｒｅｇｉｓｔｅｒ：加入者情報を記した原本に関する情報を交換機にその都度コピーするための移動体加入者管理用のデータベース）と連携して、ＷＴＲＵ１２の識別、認証などを行なう通信をする。また、ＭＳＣは、ショートメッセージサービス（ＳＭＳ：文字メッセージ送受信サービス）データなどのサービスを提供するＳＭＳ−ＧＭＳＣ／ＩＷ−ＭＳＣ（ｓｈｏｒｔ  ｍｅｓｓａｇｅ  ｓｅｒｖｉｃｅ−ｇａｔｅｗａｙ  ｍｏｂｉｌｅ  ｓｗｉｔｃｈｉｎｇ  ｃｅｎｔｅｒ／ｉｎｔｅｒｗｏｒｋｉｎｇ−ｍｏｂｉｌｅ  ｓｗｉｔｃｈｉｎｇ  ｃｅｎｔｅｒ）と通信する。ホームロケーションレジスタ（ＨＬＲ：加入者情報を記した原本に関する情報を、交換機が原本のある場所まで問い合わせるための移動体加入者管理用のデータベース）は、移動機からの呼（ｍｏｂｉｌｅ  ｔｅｒｍｉｎａｔｅｄ  ｃａｌｌｓ）およびＳＭＳデータのルーティング情報を提供するＨＰＬＭＮ（ｈｏｍｅ  ｐｕｂｌｉｃ  ｌａｎｄ  ｍｏｂｉｌｅ  ｎｅｔｗｏｒｋ）内のデータベースであり、また、位置エリアやルーティングエリアの更新など、接続プロセスおよび移動管理手順を介して関連するＶＬＲ（図１のＶＬＲ参照）またはＧＳＮ（ＧＰＲＳサポートノード）に配信されるユーザ加入情報（ｕｓｅｒ  ｓｕｂｓｃｒｉｐｔｉｏｎ  ｉｎｆｏｒｍａｔｉｏｎ）のメンテナンスの責任も負う。
【００１２】
ＷＬＡＮ  ＡＰは、パケットデータゲートウェイ／ＷＬＡＮアクセスゲートウェイ（ＰＤＧ／ＷＡＧ）と連絡をとる。ＧＳＮとＰＤＧ／ＷＡＧとの間で機能情報（ｃａｐａｂｉｌｉｔｙ  ｉｎｆｏｒｍａｔｉｏｎ）がやりとりされる。ＳＭＳデータサービスなどのサービスがＰＤＧ／ＷＡＧに伝えられ、それからＰＤＧ／ＷＡＧおよびＷＬＡＮ  ＡＰを経てＷＴＲＵ１６に伝えられる。ＳＭＳデータは、ＷＴＲＵ１６の機能に基づいてそのＷＴＲＵ１６に配信され得る。
【００１３】
ＷＴＲＵ１２およびＷＴＲＵ１４は、関連のＲＡＮを介してネットワークとそれぞれ通信するとき、本発明に従って、ＷＬＡＮ適合性を含むその機能に関する情報を提供する。
【００１４】
図２は、ＷＬＡＮ機能の更新を兼ねる接続手順を示している。図２に示す手順において、ステップＳ１で、ＵＭＴＳデュアルモードＷＴＲＵが、ＡＴＴＡＣＨ（アタッチ、接続）手順を行う信号接続のために電力を上げる。ステップＳ２で、無線リソース制御（ＲＲＣ）接続要求メッセージが無線ネットワークコントローラ（ＲＮＣ）に伝えられる。Ｓ３で、アドミッション（進入許可）制御およびリソースのアベイラビリティ（利用できる度合い）がＲＮＣによって実行され、次いでＲＮＣは、ステップＳ４で、ＲＲＣ接続設定メッセージをデュアルモードＷＴＲＵに伝える。ＷＴＲＵは、ステップＳ５で、ＷＴＲＵ無線アクセス（ＲＡ）の適合性を与えるＲＲＣ接続設定完了メッセージを提供し、ステップＳ６で、初期直接転送メッセージ（ｉｎｉｔｉａｌ  ｄｉｒｅｃｔ  ｔｒａｎｓｆｅｒ  ｍｅｓｓａｇｅ）を提供するが、この初期直接転送メッセージは、ＡＴＴＡＣＨ要求およびポイントツーマルチポイントシステム情報（ＰｔＭ  ＳＩ）、インスタントメッセージングシステム情報（ＩＭ  ＳＩ）、ネットワーク（ＮＷ）機能および無線アクセス（ＲＡ）機能を含む。ステップＳ７で、ＲＮＣは、初期ＷＴＲＵメッセージを提供するが、このメッセージは、ネットワークおよび無線アクセスの機能を含むＡＴＴＡＣＨ要求である。ＵＭＴＳ機能に加えて、このメッセージは、さらにＷＬＡＮ機能を含んでいる。ステップＳ８で、認証および暗号化要求およびセキュリティモードコマンドが実行され、ステップＳ９で、ＷＴＲＵが認証される。その後、ＳＧＳＮは、ステップＳ１０で、ＷＡＧ−ＰＤＧにＷＴＲＵ機能の更新を送り、ステップＳ１１で、ＲＮＣにＡＴＴＡＣＨ−受諾メッセージ（ａｔｔａｃｈ−ａｃｃｅｐｔ  ｍｅｓｓａｇｅ）を提供し、次いでステップＳ１２で、その接続−受諾メッセージがＷＴＲＵに伝えられる。
【００１５】
ステップＳ１０で、ＷＡＧ−ＰＤＧに送信されたＷＴＲＵ機能の更新は、ＳＧＳＮにＷＡＧを更新させ、次いでこのＷＡＧは、サービス要求を終了することができるかどうかを決定することができる。
【００１６】
移動局ＷＴＲＵネットワーク機能情報要素の目的は、ＧＰＲＳに関連するＷＴＲＵの状況（ａｓｐｅｃｔ）に関する情報をネットワークに提供することにある。情報要素の内容は、ネットワークがＷＴＲＵの動作を処理する方法に影響を与える可能性がある。ＷＴＲＵネットワーク機能情報は、一般のＷＴＲＵの特徴を示し、明示的に示されているフィールドを除いて、送信側チャネルの周波数帯域に依存しない。
【００１７】
ＷＴＲＵネットワーク機能は、１０オクテット(ｏｃｔｅｔ)の最大長を有するタイプ４の情報要素（ＩＥ）である。
【００１８】
ＷＴＲＵネットワーク機能ＩＥの値部分は、図３に示すようにコード化される。
【００１９】
図４は、既存のネットワーク機能ＩＥ（情報要素）を本発明のネットワーク機能情報要素と比較したものであり、図５は、既存の無線アクセス機能情報要素（ＲＡＮ  ＩＥ）を本発明のＲＡＣ  ＩＥと比較したものを示している。
【００２０】
移動局（ＭＳ）ネットワーク機能ＩＥの目的は、ＧＰＲＳに関連する移動局（すなわちＷＴＲＵ）の状況（ａｓｐｅｃｔ）に関する情報をネットワークに提供することにある。その内容は、ネットワークが移動局の動作を処理するやり方に影響を与えることができる。ＭＳネットワーク機能情報は、全般的な移動局の特徴を示し、明示的に示されているフィールドを除いて、それが送信されるチャネルの周波数帯域に依存しないものである。ＭＳネットワーク機能は、１０オクテットの最大長を有するタイプ４の情報要素（ＩＥ）である。ＭＳネットワーク機能情報要素の値の部分は、図３に示すように符号化される。
【００２１】
図４を参照すると、ネットワーク機能ＩＥを詳述するやり方で図示しており、既存のＩＥと新規なＩＥの両方の項目（１）、すなわち専用のチャネルを経由してのシステム管理機能は同じである。既存のＩＥと新規なＩＥに列挙された項目（２）、つまりＧＰＲＳチャネルを経由してのシステム管理機能は同じである。既存のＩＥの項目（３）と新規な情報要素内の項目（６）、つまりＵＣＳ（Ｕｎｉｖｅｒｓａｌ  Ｍｕｌｔｉｐｌｅ−Ｏｃｔｅｔ  Ｃｏｄｅｄ  Ｃｈａｒａｃｔｅｒ  Ｓｅｔ）、ＵＳＣ２  １６ビットコーディングサポートは同じである。
【００２２】
既存のＩＥ内の項目（４）と新規なＩＥ内の項目（７）、すなわち付加サービス（ＳＳ）スクリーニングインジケータ（ｓｕｐｐｌｅｍｅｎｔａｒｙ  ｓｅｒｖｉｃｅ  ｓｃｒｅｅｎｉｎｇ  ｉｎｄｉｃａｔｏｒ）は同じである。ＳｏＬＳＡ（ｓｕｐｐｏｒｔ  ｏｆ  ｌｏｃａｌｉｚｅｄ  ｓｅｒｖｉｃｅ  ａｒｅａ）機能、つまり既存のＩＥの項目（５）と新規なＩＥの項目（８）は同じである。
【００２３】
既存のＩＥの項目（６）、つまりリビジョン（改訂）レベルインジケータは、新規なＩＥの項目（９）と同じである。新規なＩＥの項目（４）および（５）、すなわちＷＬＡＮを経由してのシステム管理機能、およびテキストのみ、テキストおよび動画、インスタントメッセージサービス、マルチメディアサービスなどを識別するショートメッセージシステム（ＳＭＳ）項目は、ＷＴＲＵに提供されるが、既存のＩＥには提供されない。既存のＩＥの項目（７）から項目（１０）は、新規なＩＥでは省略されており、簡潔にするために本明細書では説明しない。
【００２４】
図４Ａは、ネットワーク機能ＩＥをさらに詳しく示している。例えば、図４Ａに示すように、位置サービス（ＬＣＳ）の付加価値（ＶＡ）位置要求通知ビット（ｔｈｅ  ｌｏｃａｔｉｏｎ  ｓｅｒｖｉｃｅ（ＬＣＳ）ｖａｌｕｅ  ａｄｄｅｄ（ＶＡ）ｌｏｃａｔｉｏｎ  ｒｅｑｕｅｓｔ  ｎｏｔｉｆｉｃａｔｉｏｎ  ｂｉｔ）（バイナリフォーマット）は、サポートされていない場合は「０」、サポートされている場合は「１」である。ＷＬＡＮ機能は、そのバイナリビットが「１」である場合はサポートされており、「０」状態である場合はサポートされていない。各機能を識別する１ビットまたは複数ビットは、予め定められた位置がＩＥに割り当てられている。このことは、ＲＡ機能の場合も同じである
。また、ＧＰＲＳ暗号化アルゴリズム（ＧＥＡ）機能ビットは、サポートされていない場合は「０」、サポートされている場合は「１」であることにも留意されたい。
【００２５】
移動局無線アクセス（ＭＳ  ＲＡ）機能情報要素（ＩＥ）の目的は、移動局（すなわちＷＴＲＵ）の無線の状況に関する情報をネットワークの無線部に提供することにある。その内容は、ネットワークが移動局の動作を処理するやり方に影響を与えることができる。ＭＳ  ＲＡ機能は、５２オクテットの最大長を有するタイプ４の情報要素である。ＭＳ  ＲＡ機能情報要素の値部分は、図５Ａおよび図５Ｂに示すようにコード化される。
【００２６】
図５は、既存および新規な無線アクセス機能ＩＥを比較したものである。既存のＩＥの項目（１）から項目（４）、すなわちアクセス技術タイプ、アクセス機能、ＵＭＴＳ  ＦＤＤ  ＲＡ技術機能、およびＵＭＴＳ３．８４Ｍｃｐｓ  ＴＤＤ  ＲＡ技術機能は、新規なＩＥの項目（１）から項目（４）と同じである。
【００２７】
既存のＩＥの項目（５）から項目（６）は、新規なＩＥからは省略されており、よって簡潔目的で本明細書では説明しない。新規なＩＥの項目（５）は、既存のＩＥには示されておらず、リモート端末のタイプ（ＰＤＡ、ラップトップ、電話など）、メモリサイズ、画面サイズ、処理能力、技術バージョン（８０２．１１、８０２．１５、８０２．１６など）、サービスプロファイル（ＳＭＳテキストのみまたはテキストおよび動画など）、ＭＭＳ、ＩＭＳ、位置、ＭＢＭＳなどを識別するＷＬＡＮ無線アクセス機能を提供する。
【００２８】
図５Ａおよび図５Ｂは、ＭＳ  ＲＡ機能ＩＥをさらに詳しく示している。図５Ａでは、４バイナリビットのアクセス技術タイプが、アクセスに使用される技術タイプを表す。ガウスフィルタ型最小偏移変調（ＧＭＳＫ）は、すぐれたスペクトル効率を提供する周波数変調の形の１つである。８ＰＳＫは、搬送波が８つの状態のうちの１つに存在する変調技術である。図５Ｂは、機能の一部を識別するフィールドおよびバイナリビットを示している。例えば、３ビットフィールドは、サポートされる技術が特定の組合せのバイナリビットによって同定されるＷＬＡＮ８０２ＲＡ技術を識別するのに使用される。例えばＷＬＡＮ８０２.ｘｘ技術をサポートしていないことは、「０００」によって表され、ＷＬＡＮ８０２．１１ｂ技術をサポートしていることは、「００１」によって表されることに留意されたい。別の例では、ＣＤＭＡ  ２０００  ＲＡ技術機能は、サポートされていない場合は「０」、サポートされている場合は「１」である。
【００２９】
デュアルモードＷＴＲＵは、デュアルモードＷＴＲＵがＷＬＡＮ／ＵＭＴＳ機能を有しているか、ＷＬＡＮ／ＧＰＲＳ機能を有しているかに応じて、そのＵＭＴＳ（ＧＰＲＳ）ネットワークを介してＷＬＡＮ機能レポートを提供する。
【００３０】
図２に示すように、ＷＴＲＵは、電力が上昇されると、まずＵＭＴＳチャネル経由で通信して、非アクセス層（ＮＡＳ）「ＡＴＴＡＣＨ」手順を実行し、図２に示すようにＵＭＴＳ／ＷＬＡＮ機能がネットワークとやりとりされる。
【００３１】
実装に応じて、ユーザは、ＵＭＴＳネットワークと引き続き通信すること、手動でＷＬＡＮチャネルに切り替えること、または利用可能な場合、ＷＬＡＮネットワークへの自動ハンドオーバを実行することを選択することができる。
【００３２】
したがって、本発明は、ＷＴＲＵおよびネットワークとネットワークおよびＷＴＲＵとの間の既存のＧＰＲＳ／ＵＭＴＳ機能メッセージに２つの新規なＩＥを導入している。無線アクセス機能情報要素（ＲＡＣ  ＩＥ）は、ＷＴＲＵ／カードすなわちＧＰＲＳ＋ＷＬＡＮまたはＵＭＴＳ／ＷＬＡＮのデュアルモード機能についてネットワークに通知するために変更される。無線アクセス機能（ＲＡＣ）は、端末タイプ（ＰＤＡ、ラップトップ、セル方式の携帯電話など）、メモリサイズ、画面サイズ、処理能力、技術バージョン（８０２．１１、８０２．１５、８０２．１６など）、サービスプロファイル（ＳＭＳテキストのみまたはテキストおよび動画など）、ＳＭＳ、ＭＭＳ、ＩＭＳ、位置、ＭＢＭＳ（ｍｕｌｔｉｃａｓｔ  ｂｒｏａｄｃａｓｔ  ｍｅｄｉａ  ｓｅｒｖｉｃｅ）などを含むＷＬＡＮ機能のすべての状況を運ぶ。ＷＬＡＮ機能更新手順は、既存の「ＡＴＴＡＣＨ」手順の変更無しに達成される。ネットワーク機能は、ＷＬＡＮインターワーキング機能の存在、およびＷＬＡＮネットワークを介して提供できる様々なタイプのサービスに関して、デュアルモードＷＴＲＵに通知するために改変されている。
【図１】
2011205686.tif 000003
【図２】
2011205686.tif 000004
【図３】
2011205686.tif 000005
【図４】
2011205686.tif 000006
【図４Ａ】
2011205686.tif 000007
【図５】
2011205686.tif 000008
【図５Ａ】
2011205686.tif 000009
【図５Ｂ】
2011205686.tif 000010